(57)【要約】【課題】目視困難であると共に、万一ガラス戸に破壊開口部が形成されても、手探りでも探り当てることができない防犯効果を有し、取付が簡単な戸の施錠構造及び施錠装置を提供すること。【解決手段】サッシ戸２の屋内側に、戸口又は他の戸の何れかの受け部と組み合わされて施錠可能な補助錠２０（錠本体）を設置し、この補助錠２０（錠本体）をカバー材９により隠蔽した。【選択図】  図４
2005113499.tif 000002
【特許請求の範囲】
【請求項１】
戸の屋内側に、戸口又は他の戸の何れかの受け部と組み合わされて施錠可能な錠本体を設置し、この錠本体をカバー材により隠蔽したことを特徴とする戸の施錠構造。
【請求項２】
請求項１の戸の施錠構造において、
前記カバー材は前記戸の素材と同質の素材にて構成されていることを特徴とする戸の施錠構造。
【請求項３】
請求項１、２の何れかの戸の施錠構造において、
前記カバー材は、前記錠本体より大きく前記戸の枠部の一辺部の全長以下の大きさを有することを特徴とする戸の施錠構造。
【請求項４】
請求項１乃至請求項３の何れかの戸の施錠構造において、
前記カバー材は屋内側から開閉可能とされていることを特徴とする戸の施錠構造。
【請求項５】
請求項１乃至請求項４の何れかの戸の施錠構造において、
前記錠本体は前記カバー材の中に複数個設けられていることを特徴とする戸の施錠構造。
【請求項６】
請求項１乃至請求項５の何れかの戸の施錠構造において、
前記カバー材に覆われた錠本体は、スイッチの通電により施錠・解錠を行う電気錠であることを特徴とする戸の施錠構造。
【請求項７】
請求項６の戸の施錠構造において、
前記カバー材に覆われた錠本体は無線により施錠・解錠可能な電気錠であることを特徴とする戸の施錠構造。
【請求項８】
請求項６又は請求項７の戸の施錠構造において、前記カバー部材に、錠本体が施錠状態であるか解錠状態であるかを表示する表示部が設けられていることを特徴とする戸の施錠構造。
【請求項９】
請求項１乃至請求項８の戸の施錠構造に用いる施錠装置おいて、
前記錠本体と、前記カバー材とを有し、前記錠本体がユニット化されていることを特徴とする。
【請求項１０】
請求項１乃至請求項８の戸の施錠構造に用いる施錠装置おいて、
前記錠本体と前記カバー材とが一体に結合されていることを特徴とする施錠装置。
【請求項１１】
請求項９又は請求項１０の施錠装置おいて、
前記カバー材に錠本体とそのダミー部分が設けられていることを特徴とする施錠装置。
【請求項１２】
戸の屋内側に戸口又は他の戸の何れかの受け部と組み合わされて施錠可能な錠本体を設置し、この錠本体がユニット化されていることを特徴とする施錠装置。
【請求項１３】
請求項１２の施錠装置において、
前記錠本体は、戸の枠部内に収納されていることを特徴とする施錠装置。
【請求項１４】
請求項１２又は請求項１３の何れかの施錠装置において、
前記錠本体をカバー材により隠蔽したことを特徴とする施錠装置。
【発明の詳細な説明】
【技術分野】
【０００１】
本発明は、サッシ戸や出窓その他の開口部の戸に用いられる施錠装置に関し、更に詳しくは、外部からの隠蔽性を高めて防犯効果を高めた施錠装置に関する。
【背景技術】
【０００２】
従来の防犯効果を高めた施錠装置の公知例としては、特開２００３−３７１６号公報に開示される「サッシ窓の施錠装置」がある。
【０００３】
この「サッシ窓の施錠装置」は、サッシ戸の縦方向に延びる框であって、一対のサッシ戸同士が戸締まりのときに重なり合う縦框のうちの屋内側に面する縦框の面に開口部を形成し、この開口部内にクレセント錠を取り付け、屋外側に位置するサッシ戸の縦框部分の前記開口部に一致する部位に開口部を形成し、屋外側の縦框の開口部にクレセント錠の受け金具を取り付け、サッシ戸の屋外側から、クレセント錠の設置位置を目視困難としたものである。
【特許文献１】特開２００３−３７１６号公報（第１図）
【発明の開示】
【発明が解決しようとする課題】
【０００４】
しかしながら、最近の空き巣・窃盗事例では、ガラスの内クレセント錠近傍部分を破壊して破壊開口部を形成し、この破壊開口部から手を侵入させてクレセント錠を開けることが多発している。
【０００５】
このため、前記の公知例のように、単にクレセント錠の設置位置を屋外側から目視困難としても、手探りによりクレセント錠を見つけることは容易であり、防犯効果が今ひとつ十分でないという問題がある。
【０００６】
又、上記の公知文献の「サッシ窓の施錠装置」では、サッシ戸の縦框に開口部を設け、この開口部の内側にクレセント錠をネジ止めしている。このクレセント錠のベースはサッシ窓のスライド方向（開口部の幅方向）に延びる回転軸を有し、クレセント錠のベース部は前記サッシ窓内側のガラス戸側の内壁にネジ止めされているが、開口部の中にネジ回しを挿入することが困難であり、取り付けに困難性がある。
【０００７】
本発明は、このような問題を更に鋭意考察し、目視困難であると共に、万一ガラス戸に破壊開口部が形成されても、手探りでも探り当てることができない防犯効果を有し、取付が簡単な戸の施錠構造及び施錠装置を提供することを目的とする。
【課題を解決するための手段】
【０００８】
上記課題を解決するために、本願の第１の戸の施錠構造は、戸の屋内側に、戸口又は他の戸の何れかの受け部と組み合わされて施錠可能な錠本体を設置し、この錠本体をカバー材により隠蔽したことを特徴とする。
【０００９】
本願の第２の戸の施錠構造は、第１の戸の施錠構造において、前記カバー材は前記戸の素材と同質の素材にて構成されていることを特徴とする。
【００１０】
本願の第３の戸の施錠構造は、第１、第２の何れかの戸の施錠構造において、前記カバー材は、前記錠本体より大きく前記戸の枠部の一辺部の全長以下の大きさを有することを特徴とする。
【００１１】
本願の第４の戸の施錠構造は、前記カバー材は屋内側から開閉可能とされていることを特徴とする。
【００１２】
本願の第５の戸の施錠構造は、第１乃至第４の何れかの戸の施錠構造において、前記錠本体は前記カバー材の中に複数個設けられていることを特徴とする。
【００１３】
本願の第６の戸の施錠構造は、第１乃至第５の何れかの戸の施錠構造において、前記カバー材に覆われた錠本体は、スイッチの通電により施錠・解錠を行う電気錠であることを特徴とする。
【００１４】
本願の第７の戸の施錠構造は、第６の戸の施錠構造において、前記カバー材に覆われた錠本体は無線により施錠・解錠可能な電気錠であることを特徴とする。
【００１５】
本願の第８の戸の施錠構造は、第６，第７の戸の施錠構造において、前記カバー部材に、錠本体が施錠状態であるか解錠状態であるかを表示する表示部が設けられていることを特徴とする。
【００１６】
本願の第１の施錠装置は、第１乃至第７の戸の施錠構造に用いる施錠装置において、前記錠本体がユニット化されていることを特徴とする。
【００１７】
本願の第２の施錠装置は、第１乃至第７の戸の施錠構造に用いる施錠装置において、前記錠本体は前記カバー材と一体に形成されていることを特徴とする。
【００１８】
本願の第３の施錠装置は、第１又は第２の施錠装置において、前記カバー材に錠本体若しくはその設置位置のいずれかのダミー部分が設けられていることを特徴とする。
【００１９】
本願の第４の施錠装置は、戸の屋内側に戸口又は他の戸の何れかの受け部と組み合わされて施錠可能な錠本体を設置し、この錠本体がユニット化されていることを特徴とする。
【００２０】
本願の第５の施錠装置は、第４の施錠装置において、前記錠本体は、戸の枠部内に収納されていることを特徴とする。
【００２１】
本願の第６の施錠装置は、第４，５の何れかの施錠装置において、前記錠本体をカバー材により隠蔽したことを特徴とする。
【発明の効果】
【００２２】
本願の第１の戸の施錠構造によれば、戸の屋内側に、戸口又は他の戸の何れかの受け部と組み合わされて施錠可能な錠本体を設置し、この錠本体をカバー材により隠蔽したことによって、例えば出入口のドアやサッシ戸に後付けする場合であっても、屋外部から錠本体の所在を目視確認できないと共に、万一戸のガラス板が破られて破壊開口部ができ、侵入者が破壊開口部から手を入れて手探りをしても、錠本体の設置位置がカバーで覆われているので、見つけることができない。
【００２３】
従って、屋外からの目視を防止するという防犯効果の他に、万一ガラスが破壊された場合の防犯効果をも発揮できる。又、後付けの錠本体であっても良いので、例えば錠本体の設置穴や格納穴等を出入口の戸やサッシ戸に形成する穴空け加工等の処理を極力少なくでき、戸やサッシ戸の枠部の強度をそのまま十分に確保できる。
【００２４】
本願の第２の戸の施錠構造によれば、カバー材が、戸の素材と同質の素材で構成されていることによって、錠本体がカバーされている状態そのものを識別困難とし、防犯効果が向上する。
【００２５】
本願の第３の戸の施錠構造によれば、カバー材が錠本体より大きく戸の枠部の一辺部の全長以下の大きさを有することによって、錠本体の設置位置がカバーのどの部位であるかを目視できず、万一のガラス破壊の場合に手探りでも探索できないこととなり、防犯効果が向上する。
【００２６】
本願の第４の戸の施錠構造によれば、カバー材が屋内側から開閉可能とされている場合、錠本体が手動により施錠するタイプであれば、屋内側から錠本体の開閉を容易に行うことができる。
【００２７】
本願の第５の戸の施錠構造によれば、錠本体がカバー材の中に複数個設けられていれば、錠本体としてクレセント錠などの主錠と補助錠とを設けることができる。
【００２８】
本願の第６の戸の施錠構造によれば、カバー材に覆われた錠本体が、通電により施錠・解錠を行う電気錠であることによって、カバー材の屋内側の表面に凹凸等が無くても、施錠・解錠を行うことができる。
【００２９】
本願の第７の戸の施錠構造によれば、カバー材に覆われた錠本体が無線により施錠・解錠可能な電気錠であれば、カバー材の屋内側の表面に凹凸等が無くても、無線により施錠・解錠を行うことができ、万一のガラス破壊の場合にも手探りで模索できないこととなり、防犯効果が向上する。
【００３０】
本願の第８の戸の施錠構造によれば、カバー部材に、錠本体が施錠状態であるか解錠状態であるかを表示する表示部が設けられていると、屋内側からこれを容易に認識できる。
【００３１】
本願の第１の施錠装置によれば、前記錠本体がユニット化されていれば、後付であっても錠本体の設置が容易である。
【００３２】
本願の第２の施錠装置によれば、前記錠本体は前記カバー材と一体に結合されてユニット化されていると、錠本体の設置が容易である。
【００３３】
本願の第３の施錠装置によれば、カバー材に錠本体若しくはその設置位置のいずれかのダミー部分が設けられていれば、侵入者の識別力を混乱させるので、防犯効果が更に向上する。
【００３４】
本願の第４乃至６の施錠装置によれば、ユニット化された錠本体が戸の枠部内に収納されていれば、美観も良く、更にカバーを取り付けると防犯効果も向上する。
【発明を実施するための最良の形態】
【００３５】
サッシ戸２の屋内側に、戸口又は他の戸の何れかの受け部と組み合わされて施錠可能な補助錠２０（錠本体）を設置し、この補助錠２０（錠本体）をカバー材９により隠蔽したことによって、例えば出入口のドアやサッシ戸２に後付けする場合であっても、屋外部から錠本体の所在を目視確認できないと共に、万一サッシ戸２，３のガラス板Ｇ１、Ｇ２が破られて破壊開口部ができ、侵入者が破壊開口部から手を入れて手探りをしても、補助錠２０（錠本体）の設置位置がカバー材９で覆われているので、見つけることができない。
【００３６】
従って、屋外からの目視を防止するという防犯効果の他に、万一ガラスＧ１，Ｇ２が破壊された場合の防犯効果をも発揮できる。又、後付けの補助錠２０であっても良いので、例えばサッシ戸２，３に形成する穴空け加工等の処理を極力少なくでき、戸やサッシ戸２，３の枠部（框４，５を含む）の強度をそのまま十分に確保できる。
【００３７】
第２に、カバー材９が、サッシ戸２、３の素材と同質の素材で構成されていることによって、補助錠２０がカバーされている状態そのものを識別困難とし、防犯効果が向上する。
【００３８】
第３に、カバー材９が補助錠２０より大きく戸の枠部の一辺部の全長以下の大きさを有すること（一例として縦框４の全長相当）によって、補助錠２０の設置位置がカバー材９のどの部位であるかを目視できず、万一のガラス破壊の場合に手探りでも探索できないこととなり、防犯効果が向上する。
【００３９】
第４に、例えば、カバー材９の縁部と縦框４の縁部に、縦框４の長手方向に延びる回転軸を有するヒンジ機構を設ける一方、カバー材９のヒンジの反対側の縁部にストッパーを設けることにより、カバー材９が屋内側から開閉可能とされている場合、クレセント錠６が手動により施錠するタイプであれば、屋内側から補助錠２０の開閉を容易に行うことができる。
【００４０】
第５に、カバー材９の中にクレセント錠に代わる主錠７０と補助錠２０とを設けることができる。
【００４１】
第６に、カバー材９に覆われた補助錠２０が、通電により施錠・解錠を行う電気錠であることによって、カバー材９が開かなくても、施錠・解錠を行うことができる。
【００４２】
第７に、カバー材９に覆われた補助錠２０が無線により施錠・解錠可能な電気錠であれば、無線により施錠・解錠を行うことができ、万一のガラス破壊の場合にも手探りで模索できないこととなり、防犯効果が向上する。
【００４３】
第８に、カバー部材９に、錠本体が施錠状態であるか解錠状態であるかを表示する表示部３３が設けられていると、屋内側からこれを容易に認識できる。
【００４４】
第９に、補助錠２０のみがユニット化されていても、補助錠２０の設置とカバー材９による隠蔽がが容易である。
【００４５】
第１０に、補助錠２０とカバー材９とが一体に結合されてユニット化されていると、設置が更に容易である。
【００４６】
第１１に、カバー材９にクレセント錠６若しくはその設置位置のいずれかのダミー部分が設けられていれば、侵入者の識別力を混乱させるので、防犯効果が更に向上する。
【実施例】
【００４７】
次に、本発明の実施例にかかる戸の施錠構造について説明する。図１は本発明の戸の施錠構造の一例を示すものであり、符号１は窓枠である。窓枠１にはサッシ戸２，３が取り付けられており、サッシ戸２，３の窓枠１の中央部側の縦框４，５のガラスと直交する壁面には主錠としてのクレセント錠６と受け金具７が設けられている。屋内側のサッシ戸２の縦框４のガラスと平行な面には後述する補助錠２０をカバーするカバー材９が設けられている。この実施の形態では、このカバー材９は、サッシ戸２，３のガラスＧ１，Ｇ２を保持する枠部１０、１１の素材であるアルミニウムと同様に、アルミニウム板で構成されており、枠部１０，１１の塗料と同じ色彩の塗料が塗布されている。
【００４８】
図５、図６に示すように、カバー材９の周囲には、縦框４の壁面まで貫通するネジ穴Ｓが複数個（ここでは上中下の８箇所）形成されており、このネジ穴の奥部に、図示しないネジの軸部を通し、頭部を受ける鍔部（図示せず）が形成されている。
【００４９】
サッシ戸２の縦框４には、カバー材９を取り付けるネジが螺着されるネジ穴（図示省略）が形成されており、カバー材９は前述のネジをカバー材９のネジ穴Ｓに通して、ドライバーによりサッシ戸３の縦框のネジ穴Ｓにネジを螺着することにより固定される。ネジ穴Ｓは、ネジの頭部がカバー材９の表面から突出しないように深く形成されており、ネジが固定されるとき、ネジの頭部がネジ穴Ｓの奥に位置するようになっている。これによって、万一、ガラスＧ１，Ｇ２が破られてガラスの破壊開口部から侵入者の手が入り込んでもドライバーをネジに挿入できなくなる。
【００５０】
図２，３，４はサッシ戸２，３の補助錠２０及び受け金具２３を示す。サッシ戸２の縦框４には、ガラス戸Ｇ１に対して直角方向に縦框４を貫通する開口部１２が形成されている。又、サッシ戸３の縦框５にはガラス戸Ｇ２に対して直角方向に縦框５を貫通する開口部１３が形成されている。開口部１２には、後述する補助錠２０のデッドボルト２１と案内筒２２が保持される。開口部１３には、受け金具２３が取り付けられ、受け金具２３は補助錠２０のデッドボルト２１を保持してサッシ戸２，３の開閉動作を阻止する。受け金具２３はデッドボルト２１の先端部が挿入される凹部２４が形成されている。受け金具２３はネジ２３’が縦框５に螺着されて固定されている。
【００５１】
サッシ戸２の縦框４の室外側の壁面には、金具２５がネジ２６により固定されている。金具２５には、縦框４の開口部１２の周りを一部閉鎖する開口部２５Ａが開口されて開口部２５Ａからデッドボルト２１が出入できるようになっている。デッドボルト２１は、解錠状態にあるときに、サッシ戸３の縦框５に当たらないように金具２５より少し出ており、施錠状態にあるときは、受け金具２３の凹部２４の奥まで突出する。
【００５２】
金具２５の受け金具２３に臨む面には施錠位置を検出するための反射型インタラプタからなる光センサ２７，２８が取り付けられている。光センサ２７，２８は受け金具２３の表面に光を当てて、両方の反射光が戻ってきたときに、デッドボルト２１と凹部２４とが一致した位置にあることを検出する。尚、受け金具２３側には光センサ２７，２８の光を反射するための金属光沢面を有する反射板２９，３０が取り付けられている。
【００５３】
縦框４，５の相対する壁面には、サッシ戸２，３が窓枠１を完全に閉鎖するときに、サッシ戸２，３の間のすき間が開くことを阻止する係止板部３１，３２が形成されている。又、図５に示すように、カバー材９の室内側の表面には補助錠２０が施錠状態にあるか、解錠状態にあるかを表示するための表示部３３が設けられている。表示部３３は例えばＬＥＤやＥＬパネルで構成され、補助錠２０のマイクロコンピュータ４６（図９参照）に接続されて、マイクロコンピュータ４６により発光制御される。又、カバー材９の表面には施錠ボタン５０と解錠ボタン５１が設けられている。この施錠ボタン５０と解錠ボタン５１は、例えば２秒や３秒などの一定の時間長押しを要するものであると、誤動作や防犯上効果がある。勿論、施錠ボタン５０と解錠ボタン５１を所定時間（例えば２秒や３秒など）同時押しすることによって、施錠や解除を行うようにすることも、誤動作や防犯上効果的である。
【００５４】
カバー材９の裏面側（取付時に室外側に向けられる側）には、図６に示すように、補助錠２０を取り付けるための凹部３４が複数個形成されている。凹部３４は複数個形成されており、凹部３４同士の間には補強部３５が形成されている。補助錠２０が組み込まれた凹部３４には底板３６（図４参照）が設けられており、カバー材９と補助錠２０と共に一体になってユニット化されている。
【００５５】
図７、図８は補助錠２０の外形を示す。補助錠２０の本体ケース４０は凹部３４内部に組み込まれるように構成されており、本体ケース４０からデッドボルト２１を保持する案内筒２２が突出している。補助錠２０は、デッドボルト２１と案内筒２２及び受け金具２３からなる施錠機構４１（図９参照）と、デッドボルト２１を受け金具２３の凹部２４に対して侵入・退避させるように、デッドボルト２１をスライド駆動する減速機構４２と、減速機構４２を駆動するモーター４３と、前述の光センサ２７，２８と、デッドボルト２１が受け金具２３の凹部２４に嵌合して施錠に成功したことを検出するマイクロスイッチ４４（図４参照）と、デッドボルト２１が解錠時のホームポジションにあることを検出するマイクロスイッチ４５（図４参照）と、マイクロコンピュータ４６と、通信モジュール４７と、バッテリー４８とを有する。
【００５６】
本体ケース４０は、この実施の形態では、縦框４の壁面４Ａの表面に取り付けられているが、縦框４の壁面４Ａに収納開口部（図示省略）を形成し、この収納開口部に側に嵌合可能なように底板３６形成し、底板３６側に補助錠２０を組み込んでカバー材９によってカバーしても良い。このようにカバー材９と補助錠２０からなるように、補助錠ユニットを構成して、収納開口部に取り付ける場合には、カバー材９の高さを抑制できる。勿論、本実施の形態のように、縦框４に開口部１２を形成して案内筒２２を装着し、カバー材９側に補助錠２０を組み込んで平らな底板３６でカバー材９の裏面を閉鎖し、一体化したユニットと構成すると組み付けが極めて容易であり、メンテナンスがし易いことや後付け加工が簡単であるという利点がある。
【００５７】
補助錠２０は、本体ケース４０内に扁平なモーター４３を有する。モーター４３の回転軸にはギア４２Ａが固定されている。ギア４２Ａにはギア４２Ｂが噛み合っており、ギア４２Ｂにはギア４２Ｃが噛み合っている。ギア４２Ｃはウォーム部４２Ｄを有しており、ウォーム部４２Ｄはギア４２Ｅに噛み合っている。ギア４２Ｅはデッドボルト２１の側面に形成されたラックギア（図示省略）に噛み合っている。従って、この実施の形態の減速機構４２は、ギア４２Ａ、４２Ｂ、４２Ｃ、４２Ｄ、４２Ｅによって構成されている。
【００５８】
補助錠２０のマイクロコンピュータ４６と通信モジュール４７とバッテリー４８は、施錠機構４２及びデッドボルト２２を避けた位置に設けられている。マイクロコンピュータ４６には、図９に示すように、光センサ２７，２８及びモーター４３のリレー４９、通信モジュール４７、バッテリー４８、マイクロスイッチ４４，４５が接続されている。
【００５９】
マイクロコンピュータ４６は、バッテリー４８から給電されて補助錠２０の施錠・解錠を制御する。すなわち、施錠する場合、施錠ボタン５０（図５参照）を押すと、施錠動作が始まり、光センサ２７，２８を点灯させ、反射板２９，３０からの反射光を確認する。反射板２９，３０から同時に所定パルスの反射光を受光したときにＡＮＤ回路により、光センサ２７，２８は反射板２９，３０と対面した位置にあると判断される。
【００６０】
勿論、光センサ２７，２８の発光パルスの周期をそれぞれ異ならせると、独自のパルスであるので、光センサ２７と反射板２９とが対面し、光センサ２８が反射板３０と対面していることが更に明確になる。
【００６１】
ＡＮＤ回路により光センサ２７，２８は反射板２９，３０と対面した位置にあると判断されると、マイクロコンピュータ４６はリレー４９を通電してバッテリー４８からモーター４３に電流を印加する。リレー４９はバッテリー４８の正極・負極の切換が可能なものとされており、施錠動作のときには、デッドボルト２１が受け金具２３の凹部２４側に進むように、リレー４９を動作させてモーター４３を回転開始させる。
【００６２】
モーター４３の回転は減速機構４２を介してデッドボルト２１に伝達され、デッドボルト２１が受け金具２３の凹部２４に嵌合する。デッドボルト２１が凹部２４に嵌合すると、マイクロスイッチ４４にデッドボルト２１の突起部４４Ａが接触する。
【００６３】
マイクロコンピュータ４６は、施錠動作の開始と共にマイクロスイッチ４４に電流を周期的に送信しており、マイクロスイッチ４４のオン信号が所定時間或いは所定個数検知されると、マイクロコンピュータ４６はデッドボルト２１が凹部２４に嵌合したことを検出し、光センサ２７，２８及びマイクロスイッチ４４への検出用パルス信号の送信を停止し、リレー４９への通電を停止し、表示部３３に例えば「施錠中」等の点灯表示を行う。この表示部３３を例えば、液晶表示器により構成し、「施錠中」或いは「解錠中」等の文字或いは「マーク」をセグメントにより構成すると、消費電力が少ないものとなる。
【００６４】
解錠動作の場合には、解錠ボタン５１を押すと、マイクロコンピュータ４６は、モーター４３を施錠時と反対側に回転させるように、リレー４９に命令を送り、リレー４９は施錠時と逆の電流方向に変えてバッテリー４８からモーター４３に給電すると共に、マイクロスイッチ４５に向けて解錠を検出するためのパルス信号を送信する。
【００６５】
モーター４３はバッテリー４８からの給電により、施錠時と逆回転してデッドボルト２１を凹部２４から抜き取る。デッドボルト２１が凹部２４から退避してマイクロスイッチ４５がオンし、マイクロコンピュータ４６が所定個数或いは所定時間のマイクロスイッチ４５のオン信号を検出したら、リレー４９をオフしてモーター４３への給電を停止、マイクロスイッチ４５への解錠検知のパルス信号送信を停止する。また、解錠時には、マイクロコンピュータ４６は表示部３３に「解錠中」の文字又はマークを点滅表示する。
【００６６】
この表示部３３は、液晶表示器により行うのが通常好ましいが、カバー材９以外のところ（例えば、集中監視装置などに）に表示部３３或いは同機能を持つ表示装置を設けて確認できるようにしても良い。又、視覚以外の聴覚・体感等による感知のために、液晶表示器の他に、音や振動を所定時間或いは所定回数発生するようにすると、離れた場所や夜間でも確認できるほか、視覚や聴覚の障害者或いは病人等にも確認できることとなる。
【００６７】
この実施の形態では、施錠ボタン５０及び解錠ボタン５１に代用できるものとして、通信モジュール４７を備えている。通信モジュール４７は、家の中に設けられる通信用コントローラで操作可能なものであり、通信のためには、無線や赤外線を用いるが、勿論、有線であっても良い。
【００６８】
ここでは、一例として無線方式を用いる場合を説明する。通信モジュール４７と通信する無線型のコントローラ（図示省略）は、通信モジュール４７を介してマイクロコンピュータ４６に施錠用又は解錠用の命令信号を送信するように、施錠用又は解錠用の通信電波を送信する。通信モジュール４７はアンテナ６０を有している。
【００６９】
通信モジュール４７及びコントローラは、親子電話や無線ＬＡＮに用いる微弱な電波を用いる周知の無線送受信器モジュールからなるものである。
【００７０】
無線により補助錠２０の施錠・解錠を制御するには、前記コントローラから施錠用又は解錠用の通信電波を送信する。通信モジュール４７は、アンテナ６０から施錠用又は解錠用の通信電波を受信したときに、マイクロコンピュータ４６に施錠用又は解錠用の命令信号を送信する。マイクロコンピュータ４６は、施錠或いは解錠に成功若しくは失敗したときに、その結果を送信元のコントローラに送信し、コントローラはその結果を表示できるようになっている。
【００７１】
バッテリー４８には乾電池が用いられるが、二次電池や大容量キャパシターを用いても良い。バッテリー４８の交換はカバー材９の取り外しにより行っても良いが、バッテリー４８用の蓋部をカバー材９の表面に設けてバッテリー交換が容易にするのが望ましい。
【００７２】
尚、上述の実施例では、カバー材９に補助錠２０を設けたが、サッシ戸２，３のクレセント錠６，７を無くしたり、ダミーとして残しながら、図６に示すように、デッドボルトを備えた主錠７０をカバー材９の内部に設けるのも良い。カバー材９の中に補助錠２０のみならず主錠７０も備え、全部で一つのユニットと構成すると、主錠の設置場所等が外部から目視や手探り（ガラスが破られた場合）でも探索できなくなるので、防犯効果が更に向上する。
【００７３】
又、補助錠２０について本願を適用した場合について述べたが、主錠に本願を適用しても良い。
【産業上の利用可能性】
【００７４】
本発明にかかる戸の施錠構造及び施錠装置は、引き違い式の戸、サッシ戸、玄関の回動式のドア、出窓などの回動式の戸に適用できる。
【図面の簡単な説明】
【００７５】
【図１】本発明の実施の形態にかかる戸の施錠構造及び施錠装置の外観図であり、サッシ戸に施錠装置及びカバーからなるユニットを設けた状態を示す図。
【図２】受け金具を有する側の縦框の部分図。
【図３】補助錠を有する側の縦框の部分図。
【図４】デッドボルトが受け金具に嵌合したときの組合せ状態を示す断面図。
【図５】カバー材と補助錠とがユニット化された施錠装置を、室内側から見た状態の表面図。
【図６】カバー材と補助錠とがユニット化された施錠装置を、縦框壁面側から見た状態の裏面図。
【図７】ユニット化された補助錠の縦框壁面側から見た状態の組み付け図。
【図８】ユニット化された補助錠の側面図。
【図９】補助錠の制御機構及びマイクロコンピュータ並びに通信モジュールの接続関係を示す説明図。
【符号の説明】
【００７６】
２，３  サッシ戸（戸）
４，５  縦框
６    クレセント錠（主錠）
７    受け金具（主錠）
９    カバー材
２０    補助錠（電気錠）
２１    デッドボルト（施錠機構）
２３    受け金具（施錠機構）
２７，２８  光センサ
３３    液晶表示器からなる表示部
４４，４５  マイクロスイッチ
４６    マイクロコンピュータ
４７    通信モジュール
５０    施錠ボタン
５１    解錠ボタン
【図１】
2005113499.tif 000003
【図２】
2005113499.tif 000004
【図３】
2005113499.tif 000005
【図４】
2005113499.tif 000006
【図５】
2005113499.tif 000007
【図６】
2005113499.tif 000008
【図７】
2005113499.tif 000009
【図８】
2005113499.tif 000010
【図９】
2005113499.tif 000011